(57)【要約】【課題】  ランマーの燃料タンクに直に貼着するとすぐに剥落していた印刷シールや印刷ラベルを、燃料タンクに直貼りせず、しかも、剥落のトラブルが全く生じない手段を提供すること。【解決手段】  燃料タンク９の取付けと同軸で取付けられる取付翼部10a，10bを左右側に備えると共に、該取付翼部10a，10bの中間に、当該取付翼部10a，10bと一体であって前記タンク９の外面の少なくとも一部を覆う形態を有するカバー部10c〜10eを備えた金属製カバー10であって、当該カバー部10c〜10eの外面に印刷シールなどのシール11を貼着するようにしたこと。【選択図】図２
0003122696.tif 000002
【実用新案登録請求の範囲】
【請求項１】
燃料タンクの取付けと同軸で取付けられるか、又は、別に取付けられる取付翼部を左右側に備えると共に、該取付翼部の中間に、当該取付翼部と一体であって前記タンクの外面の少なくとも一部を覆う形態を有するカバー部を備えた金属製カバーであって、当該カバー部の外面に印刷シールなどのシールを貼着するようにしたことを特徴とするランマーの燃料タンクカバー。
【請求項２】
カバー部は、燃料タンクの少なくとも縦壁面と上部壁面、又は、上部壁面，縦壁面，下部壁面に被さる形状を備えた請求項１のランマーの燃料タンクカバー。
【考案の詳細な説明】
【技術分野】
【０００１】
本考案は、ランマー（ランマ及び輾圧機ともいう）の燃料タンクカバーに関する。
【背景技術】
【０００２】
ランマーは、舗装面や地盤面を締固める機械であって、単シリンダの内燃機関（エンジン）の爆発力を利用して輾圧板で地面を叩き、また、その反力で機械自体をはね上げ、落下の際の衝撃でも地面を叩いて地面をつき固める機械である。
【０００３】
上記のランマーの構造としては、例えば、最下方の輾圧板の上に、エンジンの出力軸に連結された輾圧力の伝動ロッドが配置され、該ロッドを外側からカバーした剛体製の脚状カバーの上部にエンジンが塔載されて、エンジンの出力軸が前記ロッドに連結されており、さらに前記エンジンの周囲を囲むようにハンドルが配置され、このハンドルに前記エンジン用の燃料タンクが取付けられた構造を備えている。
【０００４】
上記の燃料タンクは、タンクが金属製（鉄板）であるとタンク内に錆が生じるため、その錆を嫌ってポリプロピレン等の合成樹脂製タンクが用いられているが、この合成樹脂製タンクには問題がある。即ち、燃料タンクの外面には、当該ランマーのメーカ名やリース会社名、或は、使用燃料の種類や始動方法、使用上の注意などを印刷した少なくとも１種類以上のフィルム状のシールやラベル（以下、単にシールという）が、そのシール面に付けた粘着剤によって貼着されているが、この貼着シールは、そのランマーを使用するとたちまち燃料タンクから剥れ落ちてしまうことが知られている。
【０００５】
燃料タンクに貼ったシールが剥落する理由は、粘着材が合成樹脂製タンクから滲出する燃料の成分（例えば有機溶剤など）によって分解され粘着力を失なう結果ではないかと見られているが、確証がある訳でなない。
因みに、剥離してしまう前記シール自体を、アルミ板製シールにしたりステンレス板製シールにしてみても、燃料タンクに粘着剤で貼付ける限り、上記のフィルム状シールの場合と同様に、ランマーを使用するとたちまち剥落してしまう点では同じ結果であったため、剥落の理由は粘着剤の粘着力喪失によるとするのが最も妥当と考えられる。
【０００６】
本考案の考案者は上記問題点を解決するために鋭意実験，研究を重ねた結果、燃料タンクに直接に印刷シール（印刷ラベル）を貼着しないようにすれば、シールの剥離、剥落問題は生じないが、それではその印刷シールは何処に貼着すればよいかという新たな問題を生じた。
【考案の開示】
【考案が解決しようとする課題】
【０００７】
従って、本考案の課題とするところは、ランマーの燃料タンクに直に貼着するとすぐに剥落していた印刷シールや印刷ラベルを、燃料タンクに直貼りせず、しかも、剥落のトラブルが全く生じない手段を提供することにある。
【課題を解決するための手段】
【０００８】
上記課題を解決することを目的としてなされた本考案燃料タンクカバーの構成は、燃料タンクの取付けと同軸で取付けられるか、又は、別に取付けられる取付翼部を左右側に備えると共に、該取付翼部の中間に、当該取付翼部と一体であって前記タンクの外面の少なくとも一部を覆う形態を有するカバー部を備えた金属製カバーであって、当該カバー部の外面に印刷シールなどのシールを貼着するようにしたことを特徴とするものである。
【考案の効果】
【０００９】
本考案は、燃料タンクの取付けと同軸で取付けられる取付翼部を左右側に備えると共に、該取付翼部の中間に、当該取付翼部と一体であって前記タンクの外面の少なくとも一部を覆う形態を有するカバー部を備えた金属製カバーによって燃料タンクカバーを形成し、このカバーに印刷シールなどのシールやラベルを粘着剤によって貼着するようにしたので、そのシールがランマーの使用によって剥落することは全くない。
【考案を実施するための最良の形態】
【００１０】
次に本考案燃料タンクカバーの実施の形態例について図により説明する。図１はランマーの一例の正面図、図２は図１のランマーにタンクカバーを取付けた概要を示す側面図、図３は図１，図２のランマーにおける燃料タンクに装着する本考案タンクカバーの一例の正面図、図４は図３のタンクカバーの平面図である。
【００１１】
図１，図２において、１はランマーの輾圧板、２は輾圧板１の上に立設した伝動ロッド（図に表われず）のケーシングで、例えばアルミダイカスト製の筒状本体により形成されており、上端部がエンジン搭載部３が形成されている。
【００１２】
エンジン搭載部３には、一例として汎用エンジン４４サイクル又は２サイクルのいずれでもよい）が塔載され、その出力軸が減速機とクランク状カップリングを介して前記伝動ロッドに連結されている。５は前記エンジン４のクランクケースの外面に制振ゴム６を介して取付けたハンドル取付用のブラケット、７は該ブラケット５に取付けた平面略四角環状をなすハンドル、7aはハンドル７の左右側に垂下させて設けた略Ｕ状のエンジンガードである。
【００１３】
ハンドル７の左右部材の手前側（図２の右側）には、タンク支持バー８が跨設され、この支持バー８にポリプロピレン製の燃料タンク９がボルト9aなどにより取付けられており、以上の輾圧板１から燃料タンク９までの構成により、公知ランマーの一例を構成する。
【００１４】
従来のランマーは、前記燃料タンク９の外面に、メーカー名やリース会社名などを印刷したシールや使用上の注意書き、使用燃料の種類、起動方法などを印刷したシールなど、複数枚のシール（図示せず）が粘着剤により貼着されていたが、このシールはランマーを使用すると燃料タンク９から剥落してしまうことは、先に述べたとおりである。
【００１５】
そこで本考案では、図３，図４に例示した形態のタンクカバー10を金属板で、具体的には鉄板で断面略コ状に造り、このカバー10をタンクの取付ボルト9aを利用して当該タンク９を覆うように設け、このカバー10に上記のシール11を貼着するようにした。なお、タンクカバー10は、鉄板以外の金属板、例えば、ステンレス板、アルミ板、銅版などであってもよい。
【００１６】
図３，図４に例示した側断面略コ状のタンクカバー10において、10a，10bは、燃料タンク９の取付ネジ9aによって当該タンク９と一体に支持バー８に取付けられる本考案タンクカバー10における左右の取付翼部、10cと10dと10eは、前記取付翼部10a，10bと一体でそれら翼部10aと10bの間にあって、前記タンク９の下面壁，側面壁，上面壁の一部に被さるように形成した側断面略コ状をなす底壁部と立壁部と上壁部である。なお、燃料タンクカバー10の側断面形状は、上記例のほか、側断面略┐状、或は略┘状であってもよい。
【００１７】
本考案タンクカバー10の燃料タンク９への取付けは、ランマーにおいて燃料タンク９を取付ける前に（又は、既にタンク９が取付けられている場合にはそれを取外して）、当該タンク９に断面略コ状のカバー10を当てがい、前記タンク９の左右の取付ボルト穴に、このカバー10の取付翼部10a，10bに設けたボルト穴10f，10gを合せ、この状態でタンクの取付ボルト9aを当該タンク９と取付翼部10a，10bのボルト穴10f，10gに通して、本考案タンクカバー10と燃料タンク９とを支持バー８に取付ける。本考案においては、取付翼部10a，10bをタンク９とは別に支持バー８やハンドル７に取付けるようにしてもよい。
【００１８】
上記のようにして燃料タンク９に取付けられたタンクカバー10の上壁部10eと立壁部10dには、図３，図４に例示したようなシール11が粘着剤によって貼着される。このカバー10に貼着したシール11はランマーを使用してもシールの剥落事故は全く発生しなかった。
また、本考案タンクカバーは、合成樹脂製燃料タンク外面の主要部分をガードするように覆うので、燃料タンクガードとしての役割も果す。
【産業上の利用可能性】
【００１９】
本考案は以上の通りであって、ランマーの燃料タンクに、そのタンクの取付けと同軸で取付けられるか、又は、別に取付けられる取付翼部を左右側に備えると共に、該取付翼部の中間に、当該取付翼部と一体であって前記タンクの外面の少なくとも一部を覆う形態を有するカバー部を備えた金属製カバーを取付けたから、そのカバーの外面に印刷されたシールを粘着剤によって貼着しても、ランマーの使用によって貼着したシールが剥落することは全くない。また、前記カバーはタンクガードとしても働くので、ランマー用の燃料タンクカバーとしてきわめて有用である。
【図面の簡単な説明】
【００２０】
【図１】ランマーの一例の正面図。
【図２】図１のランマーにタンクカバーを取付けた概要を示す側面図。
【図３】燃料タンクに装着する本考案タンクカバーの一例の正面図。
【図４】図３のタンクカバーの平面図。
【符号の説明】
【００２１】
１    輾圧板
２    ケーシング
３    エンジン搭細部
４    汎用エンジン
５    ハンドル取付用のブラケット
６    制振ゴム
７    ハンドル
８    タンク支持バー
９    燃料タンク
10    タンクカバー
11    シール
【図１】
0003122696.tif 000003
【図２】
0003122696.tif 000004
【図３】
0003122696.tif 000005
【図４】
0003122696.tif 000006